(57)【特許請求の範囲】
【請求項１】
筒状ハウジング内に点火器と煙幕発生剤が収容されている煙幕発生器であって、
前記筒状ハウジングの第１端開口部が点火器を含む第１クロージャで閉塞されており、
前記筒状ハウジングの前記第１端開口部と軸方向反対側の第２端開口部が煙幕源排出口を有する第２クロージャで閉塞されており、
前記第１クロージャが、前記点火器が作動したときに発生する点火生成物を放出するための放出孔を有しており、
前記第１クロージャの前記点火生成物の放出孔を含まない面と前記第２クロージャの煙幕源排出口の間に多孔筒状体が配置されており、
前記筒状ハウジングと前記多孔筒状体の間の空間が、煙幕発生剤が収容された煙幕発生剤収容室であり、前記煙幕発生剤収容室に前記点火生成物の放出孔が面しているものであり、
前記点火器が作動したとき、前記煙幕発生剤収容室内の煙幕発生剤が着火燃焼されて煙幕源が発生し、前記煙幕源が前記多孔筒状体内を通って移動して煙幕源排出口を通った後で外部に煙幕源が排出されて煙幕を発生させるものである、煙幕発生器。
【請求項２】
煙幕発生剤が収容された煙幕発生剤収容室が、半径方向に配置された環状仕切り板により軸方向に複数室に分割されており、前記環状仕切り板が厚さ方向に貫通孔を有しているものである、請求項１記載の煙幕発生器。
【請求項３】
前記多孔筒状体が、網が筒状に成形されたものである、請求項１または２記載の煙幕発生器。
【請求項４】
前記第１クロージャが、前記第１クロージャの中心部であり、前記点火生成物の放出孔を含まない面に凸部を有しており、
前記第２クロージャが、前記第１クロージャの凸部と軸方向に対向する位置にある第２クロージャの煙幕源排出口の開口部に形成された環状段差面を有しており、
前記多孔筒状体が、第一端側の開口部が前記第１クロージャの凸部の外側に嵌め込まれ、第２端側の開口部が前記環状段差面に当接されることで固定されている、請求項１〜３のいずれか１項に記載の煙幕発生器。
【発明の詳細な説明】
【技術分野】
【０００１】
本発明は、防犯装置として使用することができる煙幕発生器に関する。
【背景技術】
【０００２】
店舗や部屋などに不法侵入してきた侵入者に対して、逃走経路を視覚的に遮断して精神的に混乱を生じさせ、捕捉までの時間を確保する目的で、部屋の天井や壁などに煙幕発生器を取り付ける場合がある。
【０００３】
特許文献１は煙幕生成装置の発明である。図１〜図５に示されているとおり、外形がディスク状の煙幕生成装置であり、作動時には放射状方向に煙幕を排出するものである。
図１の装置では、点火装置２が作動すると、着火薬ケース４内の着火薬５が着火燃焼されて火炎などを発生させる。その後、前記火炎などが燃焼室１０に流入して発煙剤６を着火燃焼させて発煙を生じさせる。
しかし、図１の装置では、燃焼室１０内の発煙剤は、着火薬ケース４に近い位置にあるものから遠い位置にあるものまで順に燃焼して行くことから、発煙剤６全体の燃焼に時間がかかるため、装置から室内への発煙の噴出速度も遅くなり、発煙の拡散速度も遅くなる。
【０００４】
特許文献２は発煙器の発明である。図１、図３に示されているとおり、特許文献１と同様に外形がディスク状の煙幕生成装置であり、作動時には放射状に煙幕を排出するものである。
特許文献２の発煙器では、発煙剤全体の燃焼速度が改善されているため、室内への発煙の噴出速度と拡散速度も高められている。
【０００５】
特許文献１、２の発明の装置は、いずれも外形がディスク状であり、発煙を放射状に噴出させ拡散させるものであるため、発煙の噴出方向に指向性を付与することはできない。
発煙の噴出方向に指向性を付与するためには、外形が筒状の発煙装置を使用することが考えられるが、このような外形が筒状の装置を使用した場合には、発煙剤全体の着火燃焼速度を高め、さらに室内への発煙の噴出速度と拡散速度も高めることが難しくなる。
【先行技術文献】
【特許文献】
【０００６】
【特許文献１】特許第３８１６８６７号公報
【特許文献２】特開２０１５−４３１４３号公報
【発明の概要】
【発明が解決しようとする課題】
【０００７】
本発明は、筒状容器を使用しているが、煙幕発生剤全体の着火燃焼速度が高められ、さらに室内への発煙の噴出速度と拡散速度も高められている煙幕発生器を提供することを課題とする。
【課題を解決するための手段】
【０００８】
本発明は、筒状ハウジング内に点火器と煙幕発生剤が収容されている煙幕発生器であって、
前記筒状ハウジングの第１端開口部が点火器を含む第１クロージャで閉塞されており、
前記筒状ハウジングの前記第１端開口部と軸方向反対側の第２端開口部が煙幕源排出口を有する第２クロージャで閉塞されており、
前記第１クロージャが、前記点火器が作動したときに発生する点火生成物を放出するための放出孔を有しており、
前記第１クロージャの前記点火生成物の放出孔を含まない面と前記第２クロージャの煙幕源排出口の間に多孔筒状体が配置されており、
前記筒状ハウジングと前記多孔筒状体の間の空間が、煙幕発生剤が収容された煙幕発生剤収容室であり、前記煙幕発生剤収容室に前記点火生成物の放出孔が面しているものであり、
前記点火器が作動したとき、前記煙幕発生剤収容室内の煙幕発生剤が着火燃焼されて煙幕源が発生し、前記煙幕源が前記多孔筒状体内を通って移動して煙幕源の排出口を通った後で外部に煙幕源が排出されて煙幕を発生させる、煙幕発生器を提供する。
【０００９】
筒状ハウジングは、鉄、ステンレスなどの金属からなるものであり、第１端開口部と第２端開口部を有している。
【００１０】
第１クロージャは、筒状ハウジングの第１端開口部を閉塞できる形状および大きさのものである。
第１クロージャは、筒状ハウジングの第１端開口部に対してねじ込まれて取り付けられたり、圧入されて取り付けられたり、溶接により取り付けられたりしている。
点火器と第１クロージャは一体になっていてもよいし、第１クロージャに点火器が取り付けられたものでもよい。
点火器は、公知のエアバッグ装置で使用しているガス発生器用の点火器を使用することができる。
【００１１】
第２クロージャは、筒状ハウジングの第２端開口部を閉塞できる形状および大きさのものである。
第２クロージャは、筒状ハウジングの第２端開口部に対してねじ込まれて取り付けられたり、圧入されて取り付けられたり、溶接により取り付けられたりしている。
第２クロージャは、一つの部材からなるものでもよいし、二つの部材の組み合わせからなるものでもよい。
第２クロージャが二つの部材の組み合わせからなるものであるときは、それぞれはねじ込み、圧入または溶接などで一体化されている。
【００１２】
多孔筒部材は、周面に多数の孔を有している金属製の筒部材であればよく、網が筒状に成形されたもの、筒の周面に多数の孔が形成されたものなどを使用することができるが、網が筒状に成形されたものが好ましい。
多孔筒部材が有している孔（網目の大きさ）は、煙幕発生剤収容室に収容されている煙幕発生剤が入り込まない大きさのものが好ましい。
また煙幕発生剤収容室に収容されている煙幕発生剤として、多孔筒部材の孔（網目の大きさ）よりも小さいものを使用する場合は、多孔筒部材と煙幕発生剤の間に紙などの可燃性部材を介在させて、煙幕発生剤が煙幕源の排出経路に入り込まないようにすることができる。
多孔筒状体は、作動前は、煙幕発生剤収容室内に収容された煙幕発生剤を半径方向外側に押すように作用することから、煙幕発生剤収容室内に隙間が生じないようにも機能し、作動時には、煙幕発生剤の燃焼により生じた煙幕源の排出経路として機能する。
【００１３】
煙幕発生剤は、公知のものであり、円柱状などに成形されているものが好ましいが、粉状のものでもよい。煙幕発生剤は、例えば、特開２０１５−４２６０３号公報に記載の発煙剤とガス発生剤を含む発煙剤組成物、特開２０１５−４３１４３号公報に記載の発煙剤とガス発生剤の組み合わせなどを使用することができる。
【００１４】
点火器は第１クロージャと共に第１端開口部側に位置しているため、点火器が作動したとき、煙幕発生剤収容室内の煙幕発生剤は第１クロージャ側から着火燃焼された後、第２クロージャ側に向かって燃焼が進行して行くことになる。
しかし、本発明の煙幕発生器では、煙幕発生剤収容室の中心部分であって、第１クロージャから第２クロージャの範囲に多孔筒状体が配置されているため、煙幕発生剤が第１クロージャ側から着火燃焼されたとき、燃焼により生じた高温ガスは多孔筒状体に入って軸方向に移動しながら、多孔筒状体と接触している煙幕発生剤を着火燃焼して行く。
このため、第１クロージャ側から第２クロージャ側に向かってのみ煙幕発生剤の燃焼が進行する場合と比べると、全体の燃焼がより速やかに進行されることになり、煙幕の噴出および拡散も促進される。
【００１５】
本発明の煙幕発生器は、煙幕発生剤が収容された煙幕発生剤収容室が、半径方向に配置された環状仕切り板により軸方向に複数室に分割されており、前記環状仕切り板が厚さ方向に貫通孔を有しているものにすることができる。
【００１６】
環状仕切板は金属からなるもので、内径が多孔筒状体の外周面に当接される大きさで、外径が筒状ハウジングの内周面に当接される大きさのものである。
環状仕切り板は、厚さ方向に貫通孔を有しているものであるが、前記貫通孔は、環状仕切り板の環状面部分に均等間隔をおいて多数形成されていることが好ましい。
環状仕切り板は、筒状ハウジング内に配置し易くすることと、煙幕発生剤を収容し易くするため、環状壁の内部が環状仕切り板で仕切られている形態のものを１または２以上組み合わせることができる。
【００１７】
環状仕切り板は、１枚または２枚以上を使用することができる。
環状仕切り板を１枚使用するときは、煙幕発生剤収容室は軸方向に２つに分割されることになり、環状仕切り板を２枚使用するときは、煙幕発生剤収容室は軸方向に３つに分割されることになる。
このように環状仕切り板を使用して煙幕発生剤収容室を軸方向に分割した場合には、煙幕発生剤の燃焼速度を制御でき、より高い煙幕効果となるため好ましい。
【００１８】
煙幕発生剤収容室が第１環状仕切り板と第２環状仕切り板によって、第１端開口部側から軸方向に第１室、第２室、第３室に分割されている場合について説明する。
上記したとおり、煙幕発生剤収容室（第１室〜第３室）では、作動時には多孔筒状体の作用により半径方向内側から外側に燃焼が進行する。
このとき、先に燃焼を開始する第１室内で発生した燃焼ガスは、第１室と第２室の間の第１環状仕切り板が有する貫通孔からも第２室に侵入するため、第２室内の煙幕発生剤は、半径方向内側から外側に燃焼が進行すると共に、第１環状仕切り板から軸方向にも燃焼が進行するため、煙幕発生剤の燃焼が制御できる。
その後、同様にして第３室でも、半径方向内側から外側に燃焼が進行すると共に、第２環状仕切り板から軸方向にも燃焼が進行するため、煙幕発生剤の燃焼が制御できる。
【００１９】
本発明の煙幕発生器は、前記第１クロージャが、前記第１クロージャの中心部であり、前記点火生成物の放出孔を含まない面に凸部を有しており、
前記第２クロージャが、前記第１クロージャの凸部と軸方向に対向する位置にある第２クロージャの煙幕源排出口の開口部に形成された環状段差面を有しており、
前記多孔筒状体が、一端側の開口部が前記第１クロージャの凸部の外側に嵌め込まれ、他端側の開口部が前記環状段差面に当接されることで固定されているものが好ましい。
【００２０】
このように、第１クロージャの凸部と第２クロージャの環状段差面（凹部）との間に嵌め込んで固定することで、取り付けが容易になる。
【発明の効果】
【００２１】
本発明の煙幕発生器は、煙幕発生剤の着火燃焼速度が速く、煙幕の拡散速度も速いため、防犯装置として適している。
【図面の簡単な説明】
【００２２】
【図１】本発明の煙幕発生器の軸方向断面図。
【図２】図１で使用している第２クロージャの第１部材の軸方向断面図。
【図３】本発明の別実施形態である煙幕発生器の軸方向断面図。
【図４】図３で使用している環状仕切り板の軸方向断面図。
【発明を実施するための形態】
【００２３】
＜図１の煙幕発生器＞
煙幕発生器１は、筒状ハウジング１０内に煙幕発生剤５６および各部品が配置されている。
【００２４】
筒状ハウジング１０の第１端１０ａ側の周壁部１１の内周面は第１環状段差面１２を有しており、第１環状段差面１２から第１端１０ａまでは厚さの薄い第１先端周壁部１３になっている。第１先端周壁部１３の内周面１３ａはねじ部を有している。
筒状ハウジング１０の第２端１０ｂ側の周壁部１１の内周面は第２環状段差面１４を有しており、第２環状段差面１４から第２端１０ｂまでは厚さの薄い第２先端周壁部１５になっている。第２先端周壁部１５の外周面１５ａはねじ部を有している。
【００２５】
筒状ハウジング１０の第１端１０ａ側は、第１クロージャ２０で閉塞されている。
第１クロージャ２０は略カップ形状のものであり、底面部２１と周壁部２２を有している。
底面部２１は中心部に凸部２３を有しており、凸部２３の周囲には、底面部２１を貫通して形成された複数の点火生成物の放出孔２４を有している。複数の点火生成物の放出孔２４は、周方向に均等間隔で２〜８個程度形成されている。
また底面部２１は放出孔２４との間には必要に応じてシールテープを設け、煙幕発生剤のこぼれ防止や、湿度対策をとることもできる。
周壁部２２は、第１先端周壁部１３の内周面１３ａのねじ部に対してねじ込むことができるねじ部２２ａを有している。
【００２６】
第１クロージャ２０の内部空間２５には、点火器カラー６を有する点火器５が取り付けられている。
点火器５は、第１クロージャ２０の内周壁面２５ａに対して点火器カラー６がねじ込まれることで取り付けられている。
点火器５の着火部５ａは、内部空間２５内に位置している。
【００２７】
筒状ハウジング１０の第２端１０ｂ側は、第２クロージャ３０で閉塞されている。
第２クロージャ３０は、第１部材３１と第２部材４０の組み合わせからなるものであるが、一つの部材からなるものにすることもできる。
図１、図２に示すように、第１部材３１は、外径の大きな環状基板３２、環状基板３２上に形成された、環状基板３２よりも外径の小さな環状凸部３３、環状基板の内周壁部３４ａ、環状基板の外周壁部３４ｂ、環状底面部３５を有している。
環状凸部３３は、環状基板３２との外径の差から、軸Ｘ方向に面した、環状基板の内周壁部３４ａ側の環状内側段差面３６ａと、軸Ｘ方向に面した、環状基板の外周壁部３４ｂ側の環状外側段差面３６ｂを有している。
環状凸部３３は、環状基板３２との外径の差から、半径方向（軸Ｘ方向に直交する方向）内側に面した環状内側周壁面３７ａと、半径方向外側に面した環状外側周壁面３７ｂを有している。
第１部材３１の中心部であり、環状内側段差面３６ａの内側には、煙幕源排出口３８が形成されている。
第１部材３１は、環状外側周壁面３７ｂが筒状ハウジング１０の内壁面１０ｃに当接され、環状外側段差面３６ｂが第２環状段差面１４に当接され、環状基板の外側周壁部３４ｂが第２先端周壁部１５に当接された状態で、筒状ハウジング１０の第２端開口部１０ｂに嵌め込まれている。
【００２８】
第２部材４０は、略カップ形状のものであり、周壁部４１と中心部に貫通孔４３が形成された底面部４２を有しており、周壁部４１は内周面にねじ部４４を有している。
貫通孔４３の内径は、煙幕源排出口３８の内径よりも大きく、環状底面部３５の外径よりも小さくなっている。
第２部材４０は、ねじ部４４が第２先端周壁部１５の外周面１５ａに対してねじ込まれることで固定されている。
第２部材４０の底面部４２は、第１部材３１の環状底面部３５を軸Ｘ方向（第１端開口部１０ａ方向）に押さえつけているため、第１部材３１は、第２部材４０と第２環状段差面１４の間において挟み付けられることで固定されている。
【００２９】
筒状ハウジング１０内には、網が筒状に成形された多孔筒状体５０が配置されている。
多孔筒状体５０は、第１開口部５０ａ側が第１クロージャ２０の凸部２３に外側から嵌め込まれ、第２開口部５０ｂ側が第２クロージャの第１部材３１の環状内側段差面３６ａと環状内側周壁面３７ａに当接されている。
多孔筒状体５０は、軸Ｘ方向の両側から固定されているため、作動前および作動時においても動くことがない。
【００３０】
筒状ハウジング１０の内周面１０ｃと多孔筒状体５０の間の筒状空間が、煙幕発生剤５６が収容された煙幕発生剤収容室５５である。
煙幕発生剤５６は公知のものであり、上記した特開２０１５−４２６０３号公報に記載の発煙剤とガス発生剤を含む発煙剤組成物、特開２０１５−４３１４３号公報に記載の発煙剤とガス発生剤の組み合わせなどを使用することができる。
煙幕発生剤５６は、円柱、ディスク形状、粉状、顆粒のような所望形状の剤型にすることができる。
煙幕発生剤収容室５５の第１端開口部１０ａ側には、第１クロージャ２０の底面部２１に形成された複数の点火生成物の放出孔２４が面しており、第２端開口部１０ｂ側は第２クロージャ３０の第１部材３１に面している。
【００３１】
点火器５、多孔筒状体５０、煙幕源排出口３８および第２部材４０の貫通孔４３は、それらの中心軸と筒状ハウジング１０の軸Ｘが同軸になるように配置されている。
【００３２】
図１に示すガス発生器１の組み立て方法の一実施形態を説明するが、これに限定されるものではない。
筒状ハウジング１０の第２端開口部１０ｂ側に第１部材３１を配置した状態で、外側から第２部材４０を筒状ハウジング１０に対してねじ込んで固定することで、第２端開口部１０ｂ側を閉塞する。
次に、多孔筒状体５０の第２開口部５０ｂ側を第１部材３１の環状内側段差面３６ａ内に嵌め込んだ状態で、煙幕発生剤収容室５５内に所要量の煙幕発生剤５６を充填する。
次に、第１クロージャ２０を筒状ハウジング１０の先端周壁部１３内にねじ込みながら、凸部２３を多孔筒状体５０ａの第１開口部５０ａ内に嵌め込む。
次に、第１クロージャ２０に点火器５をねじ込んで固定する。
【００３３】
次に図１により煙幕発生器１の動作を説明する。
点火器５が作動して内部空間２５内に火炎などの点火生成物が放出されると、前記点火生成物は、点火生成物の放出孔２４から煙幕発生剤収容室５５内に放出され、煙幕発生剤５６を着火燃焼する。
煙幕発生剤５６の燃焼により発生した高温の煙幕源は、多孔筒状体５０を通って、第１クロージャ２０から第２クロージャ３０方向に移動する。
煙幕発生剤５６の燃焼は、第１クロージャ２０から第２クロージャ３０方向に進行すると共に、多孔筒状体５０内を通る高温の煙幕源と煙幕発生剤５６が接触することでも着火燃焼が進行するため、半径方向内側から外側方向へも燃焼が進行する。
このようにして異なる方向から煙幕発生剤５６の燃焼が進行するため、図１に示すように細長い形状の筒状ハウジング１０（煙幕発生剤収容室５５）を使用した場合であっても、煙幕発生剤５６の燃焼の進行速度が速くなる。
【００３４】
多孔筒状体５０を通って移動した煙幕源は、第１部材３１の煙幕源排出口３８を通った後、さらに第２部材４０の貫通孔４３から室内に排出されることで冷却されて、煙幕を生じさせる。
【００３５】
＜図３の煙幕発生器＞
図３の煙幕発生器１Ａは、図４に示す第１環状仕切り板６０と第２環状仕切り板６２の２枚を使用していることを除いては、図１に示す煙幕発生器１と同じものである。
【００３６】
第１環状仕切り板６０は、第１内筒部材７０の第２開口部７０ｂと第２内筒部材７１の第１開口部７１ａとの間に挟み付けられた状態で配置されている。第１環状仕切り部材６０は、多孔筒状体５０を通すための貫通孔６１ａと作動時に煙幕源を通すための第１煙幕源通過孔６１ｂを有している。
第２環状仕切り板６２は、第２内筒部材７１の第２開口部７１ｂと第３内筒部材７２の第１開口部７２ａとの間に挟み付けられた状態で配置されている。第２環状仕切り部材６２は、多孔筒状体５０を通すための貫通孔６２ａと作動時に煙幕源を通すための第２煙幕源通過孔６２ｂを有している。
第１煙幕源通過孔６１ｂと第２煙幕源通過孔６３ｂの大きさは、煙幕発生剤５６よりも小さくてもよいし、大きくてもよい。
第１煙幕源通過孔６１ｂと第２煙幕源通過孔６３ｂの数は特に制限されないが、第１環状仕切り板６０と第２環状仕切り板６２に均等間隔をおいて４〜２０個程度を分散して形成することができる。
【００３７】
煙幕発生剤収容室５５は、第１環状仕切り板６０と第２環状仕切り板６２により第１クロージャ２０側から第２クロージャ３０に向かって順に第１室５５ａ、第２室５５ｂ、第３室５５ｃに分割されている。
第１内筒部材７０、第２内筒部材７１および第３内筒部材７２の外径は、筒状ハウジング１０内に挿入でき、かつ内周面１０ｃに当接できる大きさに調整されている。
図３では、筒状ハウジング１０の周壁部１１の厚さを調整することで、第３内筒部材７２の第２開口部７２ｂ側が第２クロージャ３０側の環状段差面１１ａに当接され、第１内筒部材７０の第１開口部７０ａ側が第１クロージャ２０に当接されることで、軸Ｘ方向に固定されている。
【００３８】
図３に示すガス発生器１Ａの組み立て方法の一実施形態を説明するが、これに限定されるものではない。
筒状ハウジング１０の第２端開口部１０ｂ側に第１部材３１を配置した状態で、外側から第２部材４０を筒状ハウジング１０に対してねじ込んで固定することで、第２端開口部１０ｂ側を閉塞する。
次に、多孔筒状体５０の第２開口部５０ｂ側を第１部材３１の環状内側段差面３６ａ内に嵌め込んで取り付ける。
次に、第３筒部材７２を挿入して配置した後、第３室５５ｃに所要量（全量の約１／３量）の煙幕発生剤５６を充填した後、第２環状仕切り部材６２を挿入する。
次に、第２室５５ｂ内に所要量（全量の約１／３量）の煙幕発生剤５６を充填した後、第１環状仕切り部材６０を挿入する。
次に、第１室５５ａ内に所要量（全量の約１／３量）の煙幕発生剤５６を充填する。
次に、第１クロージャ２０を筒状ハウジング１０の先端周壁部１３内にねじ込みながら、凸部２３を多孔筒状体５０ａの第１開口部５０ａ内に嵌め込む。
次に、第１クロージャ２０に点火器５をねじ込んで固定する。
【００３９】
次に図３により煙幕発生器１Ａの動作を説明する。
点火器５が作動して内部空間２５内に火炎などの点火生成物が放出されると、前記点火生成物は、点火生成物の放出孔２４から煙幕発生剤収容室５５（第１室５５ａ）内に放出され、煙幕発生剤５６を着火燃焼させる。
第１室５５ａ内の煙幕発生剤５６の燃焼により発生した高温の煙幕源は、第１環状仕切り板６０側に進行して、第１環状仕切り板６０の第１煙幕源通過孔６１ｂを通過して第２室５５ｂ内に入り、煙幕発生剤５６を着火燃焼させる。
これと並行して、第１室５５ａ内で発生した高温の煙幕源は、多孔筒状体５０を通って第１室５５ａから第２室５５ｂの方向に移動する過程で、第２室５５ｂの煙幕発生剤５６と接触して着火燃焼させる。
【００４０】
第２室５５ｂ内の煙幕発生剤５６の燃焼により発生した高温の煙幕源は、第２環状仕切り板６２側に進行して、第２環状仕切り板６０の第２煙幕源通過孔６３ｂを通過して第３室５５ｃ内に入り、煙幕発生剤５６を着火燃焼させる。
これと並行して、第２室５５ｂ内で発生した高温の煙幕源は、多孔筒状体５０を通って第２室５５ｂから第３室５５ｃの方向に移動する過程で、第３室５５ｃの煙幕発生剤５６と接触して着火燃焼させる。
【００４１】
第３室５５ｃの煙幕発生剤５６の燃焼により発生した高温の煙幕源は、第１室５５ａおよび第２室５５ｂで発生した高温の煙幕源と共に多孔筒状体５０内を移動する。
このようにして、軸Ｘ方向と半径方向内側から外側方向の異なる方向から煙幕発生剤５６の燃焼が進行するため、図３に示すように細長い形状の筒状ハウジング１０（煙幕発生剤収容室５５）を使用した場合であっても、煙幕発生剤５６の燃焼の進行速度が速くなる。
【００４２】
多孔筒状体５０を通って移動した煙幕源は、第１部材３１の煙幕源排出口３８を通った後、さらに第２部材４０の貫通孔４３から室内に排出されることで冷却されて、煙幕を生じさせる。
【実施例】
【００４３】
＜透光率測定器＞
（投光側の機器）
機器名：可視光レーザー405nm，635nm，785nm（（株）キコー技研）
型番(635nm)：MLXA-D12-635-5(CN4)
型番(785nm)：MLXA-D12-785-70(CN4)
（受光側の機器）
機器名：光センサ（日置電機（株））
型番：9742-10
（増幅器）
機器名：光パワーメータ（日置電機（株））
型番：3664
（計測器）
機器名：データ収集システム（（株）キーエンス）
型番：NR-2000
（音響測定器）
機器名：普通騒音計（（株）小野測器）
型番：LA-1440
【００４４】
実施例１、比較例１
実施例１は、図１に示す煙幕発生器に煙幕発生剤（下記組成１）を充填した。
また比較例１として、図１の煙幕発生器から点火器をとり除き蓋をし、ノズル側にニクロム線を配置して着火できるようにした上で、容器内からはインナーメッシュを取り除き、空洞をつくらず、全て煙幕発生剤（下記組成１）を充填したものを用意した。
煙幕発生剤の組成１：スクロース/硝酸カリウム/パラフィンワックス
＝３３／５２／１５（質量％）
【００４５】
（煙幕拡散速度）
３０ｍ3（縦６ｍ、横２．５ｍ、高さ２ｍ）の試験室内の床面の中心に煙幕発生器を置いた。
長辺と短辺の角部の長辺側の壁面に沿って透過率測定器の受光側の機器をセットし、受光側の機器から長辺方向に５０ｃｍ離れた位置に投光側の機器をセットした。
投光側の機器から635nmの光を照射して、受光側の光センサで検出し、増幅器を介して計測器につなぎ透過率を測定した。透過率が５０％に達するまでの時間を測定し、煙幕拡散速度とした。
【００４６】
（作動音圧）
３０ｍ3（縦６ｍ、横２．５ｍ、高さ２ｍ）のコンテナ内の床面の中心に煙幕発生器を置き、１ｍ離れた位置の音圧を音圧計で測定した。
【００４７】
煙幕拡散速度は、実施例１は７秒、比較例は２２５秒であった。実施例１では煙が拡散するまでの時間が十分に早くなり、煙幕効果が早く得られるようになった。
作動音圧は、実施例１は１３３ｄｂ、比較例１は１０１ｄｂであった。実施例１は、比較例１に比べ、作動音が大きくなり、侵入者に対し威嚇効果が発揮できる音量となった。
【００４８】
実施例２、３
実施例２は、図１に示す煙幕発生器に煙幕発生剤（下記組成２）を充填した。実施例３は、図３に示す煙幕発生器に煙幕発生剤（下記組成２）を充填した。
煙幕発生剤の組成２：スクロース/硝酸カリウム＝３９／６１（質量％）
【００４９】
実施例１と同様にして煙幕拡散速度を試験した。但し、投光側の機器からは785nmの光を照射した。また、点火器への着火から、１５分後の透過率を測定した。透過率が小さいほど煙幕が濃いことを示している。
その結果、実施例２の透過率は５５％、実施例３の透過率は２９％であった。実施例２の煙幕測定器（図１の煙幕発生器）も十分に実用できるが、実施例３（図３の煙幕発生器）のほうがより高い煙幕効果が得られた。
また実施例１の結果と合わせて、異なる波長であっても、高い煙幕効果が発揮できることも確認できた。
【産業上の利用可能性】
【００５０】
本発明の煙幕発生器は、防犯装置として使用することができる。
【符号の説明】
【００５１】
１、１Ａ  煙幕発生器
５  点火器
１０  筒状ハウジング
１０ａ  第１端開口部
１０ｂ  第２端開口部
２０  第１クロージャ
３０  第２クロージャ
５０  多孔筒状体
５５  煙幕発生剤収容室
５６  煙幕発生剤
【図１】
0006585461.tif 000002
【図２】
0006585461.tif 000003
【図３】
0006585461.tif 000004
【図４】
0006585461.tif 000005